(57)【特許請求の範囲】
【請求項１】
建物の躯体に固定され、該躯体から室内の内側に向かって水平に突出する支持部と、
該支持部に下側から支持され、該支持部上を滑り材を介して滑動可能な天井材と、
前記躯体または前記支持部と前記天井材とを連結し、前記天井材の前記支持部に対する変位を復元可能な弾性体からなる復元材と、を備え、
前記支持部と前記天井材との相対変位を吸収する制震機構を備えず、
前記天井材は、前記支持部の下方の前記室内に露出している部分を有し、鉛直荷重が前記支持部のみに支持されていることを特徴とする滑り免震機構。
【請求項２】
前記天井材は、平面視における外周部分が前記滑り材を介して前記支持部の上部に位置し、平面視における中央部分の下面が前記室内に露出していることを特徴とする請求項１に記載の滑り免震機構。
【請求項３】
前記復元材は、前記天井材の上方に設けられていることを特徴とする請求項１または２に記載の滑り免震機構。
【請求項４】
前記復元材は、定荷重ばねのばね反力を利用して前記天井材の前記支持部に対する変位を復元可能に構成されていることを特徴とする請求項１乃至３のいずれか一項に記載の滑り免震機構。
【請求項５】
建物の躯体に固定され、該躯体から室内の内側に向かって水平に突出する支持部と、
該支持部に下側から支持され、該支持部上を滑り材を介して滑動可能な天井材と、
前記躯体または前記支持部と前記天井材とを連結し、前記天井材の前記支持部に対する変位を復元可能な弾性体からなる復元材と、を備え、
前記支持部と前記天井材との相対変位を吸収する制震機構を備えず、
前記天井材は、前記支持部の下方の前記室内に露出している部分を有し、鉛直荷重が前記支持部のみに支持されていることを特徴とする天井構造。
【発明の詳細な説明】
【技術分野】
【０００１】
本発明は、建物の躯体と天井材との間に設置され、天井材や天井材に設置された機器などを免震対象物とする滑り免震機構に関する。
【背景技術】
【０００２】
従来、構造床の上に滑り板（下板）を固定し、この下板の上に滑り板（上板）を重ねて設置して、上板が下板上を滑動可能に構成された滑り免震機構において、構造床と上板とを定荷重ばねなどの復元ばねで連結することで、地震が発生した際の上板の変位や残留変位を低減させる滑り免震機構が知られている（例えば特許文献１参照）。
このような滑り免震機構を用いた免震床は、例えば、病院の手術室などに設置されると、地震が発生しても医療活動を継続できるため、多くの適用が見込まれている。
【先行技術文献】
【特許文献】
【０００３】
【特許文献１】特開２０１３−０６４４１８号公報
【発明の概要】
【発明が解決しようとする課題】
【０００４】
ところで、病院の手術室などには、天井から無影灯やモニタなどが吊り下げられており、地震が発生するとこれらの無影灯やモニタなどが大きく揺れることが予想される。このため、地震が発生しても医療活動を継続するには、これらの無影灯やモニタなどの揺れを低減させる必要があり、天井の免震化も望まれている。
【０００５】
そこで本発明は、地震が発生した際に、天井に取り付けられた無影灯やモニタなどの機器類（免震対象物）の揺れを低減させることができる滑り免震機構を提供することを目的とする。
【課題を解決するための手段】
【０００６】
上記目的を達成するため、本発明に係る滑り免震機構は、建物の躯体に固定され、該躯体から室内の内側に向かって水平に突出する支持部と、該支持部に下側から支持され、該支持部上を滑り材を介して滑動可能な天井材と、前記躯体または前記支持部と前記天井材とを連結し、前記天井材の前記支持部に対する変位を復元可能な弾性体からなる復元材と、を備え、前記支持部と前記天井材との相対変位を吸収する制震機構を備えず、前記天井材は、前記支持部の下方の前記室内に露出している部分を有し、鉛直荷重が前記支持部のみに支持されていることを特徴とする。
また、本発明に係る天井構造は、建物の躯体に固定され、該躯体から室内の内側に向かって水平に突出する支持部と、該支持部に下側から支持され、該支持部上を滑り材を介して滑動可能な天井材と、前記躯体または前記支持部と前記天井材とを連結し、前記天井材の前記支持部に対する変位を復元可能な弾性体からなる復元材と、を備え、前記支持部と前記天井材との相対変位を吸収する制震機構を備えず、前記天井材は、前記支持部の下方の前記室内に露出している部分を有し、鉛直荷重が前記支持部のみに支持されていることを特徴とする。
【０００７】
本発明では、天井材が支持部上を滑動可能であるとともに、天井材の支持部に対する変位を復元可能な復元材を備えることにより、地震が発生した際の天井材の揺れを低減させることができる。そして、天井材は、室内に露出している部分を有するため、この部分に免震対象物を取り付けることにより、地震が発生した際に、免震対象物の揺れを低減させることができる。例えば、手術室などにおいて、天井材の室内に露出している部分に、無影灯やモニタなどを取り付けることで、地震が発生しても医療活動を継続できるとともに、地震による無影灯やモニタなどの損傷を防止できる。
【０００８】
また、本発明に係る滑り免震機構では、前記天井材は、平面視における外周部分が前記滑り材を介して前記支持部の上部に位置し、平面視における中央部分の下面が前記室内に露出していてもよい。
また、本発明に係る滑り免震機構では、前記復元材は、前記天井材の上方に設けられていてもよい。
また、本発明に係る滑り免震機構では、前記復元材は、定荷重ばねのばね反力を利用して前記天井材の前記支持部に対する変位を復元可能に構成されている。
定荷重ばねは、ばね反力が変形量に依存せずに一定のばね反力で変形可能であることにより、支持部に対する天井材の変位量にかかわらず、一定のばね反力で天井材を復元させることができ、天井材を原位置に復元させるためのばね反力が最適な値よりも大きかったり小さかったりすることがないため、天井材を確実に原位置に復元させることができる。
【発明の効果】
【０００９】
天井材が支持部上を滑動可能であるとともに、天井材の支持部に対する変位を復元可能な復元材を備えることにより、地震が発生した際の天井材の揺れを低減させることができる。そして、天井材は、室内に露出している部分を有するため、この部分に免震対象物を取り付けることにより、地震が発生した際に、免震対象物の揺れを低減させることができる。
【図面の簡単な説明】
【００１０】
【図１】本発明の実施形態による滑り免震機構が設置された手術室の一例を示す図である。
【図２】図１のＡ−Ａ線断面図である。
【図３】図１のＢ部分の拡大図である。
【図４】図１のＣ−Ｃ線断面図である。
【発明を実施するための形態】
【００１１】
以下、本発明の実施形態による滑り免震機構について、図１乃至図４に基づいて説明する。
図１および図２に示すように、本実施形態による滑り免震機構１は、耐震構造の建物１１の病院の手術室１２に設置されていて、建物１１の梁材（躯体）１３に固定された支持部２と、支持部２の上方に設置された天井材３と、支持部２の上面に固定された鋼板４と、天井材３の下面に設置されて鋼板４上を滑動可能な滑り材５と、支持部２と天井材３とを連結し、支持部２に対する天井材３の水平方向の変位を復元させる復元材６と、を備えている。
本実施形態による手術室１２は、平面視略長方形状に形成されていて、外縁部全周に梁材１３が配置されている。
【００１２】
図３に示すように、支持部２は、梁材１３（図１参照）から手術室１２側に突出する板状の部材で、梁材１３から片持ち状態に突出する支持部下地鉄骨２１と、これらの支持部下地鉄骨２１の下端部に貼りつけられた板状の支持部仕上げ材２２と、を有している。
図１および図２に戻り、支持部２は、平面視において、外縁部が略長方形状で、中央部に略長方形状の開口部２５が形成されている。また、支持部２の上部には、周方向に間隔をあけて複数の溝形鋼などの壁下地鉄骨２３が立設していて、これらの壁下地鉄骨２３は、上端部が手術室１２上方の床スラブ１４（図１参照）に固定されている。また、本実施形態では、複数の壁下地鉄骨２３の内側には壁材２４が貼りつけられている。
【００１３】
天井材３は、平面視において略長方形状で、その外形が鋼板４の外形よりも小さく形成され、格子状に配置された複数の天井下地鉄骨３１（図３参照）と、この複数の天井下地鉄骨３１の下端部に貼りつけられた板状の天井仕上げ材３２（図３参照）と、を有している。
【００１４】
鋼板４は、上方に微小突起が突出するエンボス加工を施した平面視略長方形状のエンボス鋼板などで、支持部２の支持部下地鉄骨２１の上面において、配列された複数の壁下地鉄骨２３の内側に設置されている。鋼板４は、支持部２の開口部２５と重なるように支持部２の開口部２５と略同じ大きさの開口部４１が形成されている。
これにより、天井材３の下面のうち、支持部２の開口部２５および鋼板４の開口部４１と上下方向に重なる中央部分３３が手術室１２の室内に露出することになる。そして、この天井材３の下面の中央部分３３には、無影灯やモニタなどの機器１５（図１参照）が取り付けられている。
【００１５】
滑り材５は、板面が上下方向を向く方向に配置された板材で、上面５ａ（図３参照）が天井材３の外縁部近傍の領域において天井下地鉄骨３１の下面に固定され、下面５ｂ（図３参照）が鋼板４の上面と当接し、この状態で、天井材３とともに鋼板４の上部を滑動可能に構成されている。なお、滑り材５は、複数の部材に分割されていて、複数の天井下地鉄骨３１の下面にそれぞれ固定されていてもよいし、１つの部材からなり、複数の天井下地鉄骨３１の下面に一体に固定されていてもよい。
【００１６】
復元材６は、天井材３の天井下地鉄骨３１の上面に固定されたケース６１内に収容された定荷重ばね６２と、定荷重ばね６２と支持部２に立設する壁下地鉄骨２３とを連結するワイヤ６３と、を有している。
復元材６は、定荷重ばね６２が変形することによって、支持部２と天井材３との水平方向の相対移動を許容している。
【００１７】
そして、復元材６は、定荷重ばね６２に予荷重としての予引張力が与えられていて、地震が生じた際の支持部２に対する天井材３の過大変位を拘束可能であるとともに、支持部２に対して変位した天井材３を原位置に復元可能に構成されている。
このような復元材６は、複数のケース６１が天井材３の外縁部近傍に外縁部全体にわたって固定されていて、複数のケースに６１にそれぞれ収容された定荷重ばね６２が、天井材３の外周に配置された壁下地鉄骨２３とそれぞれワイヤ６３で連結されている。
【００１８】
また、本実施形態では、図１および図４に示すように、手術室１２の床部１６に対しても滑り免震機構７が設置されている。この床部１６に設置された滑り免震機構７は、手術室１２（図１参照）下方の床スラブ１４の上面に敷設された鋼板７１と、鋼板７１の上面を滑動可能な床材７２と、床材７２と床スラブ１４とを連結し、床スラブ１４に対する床材７２の水平方向の変位を復元する復元材７３と、を備えている。
このような床部１６は、地震が発生した際に、床材７２の揺れを低減させることができる。なお、床材７２は、上部に手術台などの什器１７（図１参照）や機器類などが設置可能に構成されている。
【００１９】
次に、上述した滑り免震機構１の作用・効果について図面を用いて説明する。
上述した本実施形態による滑り免震機構１では、天井材３が支持部２上を滑動可能であるとともに、天井材３の支持部２に対する変位を復元可能な復元材６を備えることにより、地震が発生した際の天井材３の揺れを低減させることができる。そして、天井材３は、下面の中央部分３３が手術室１２の室内に露出しているため、この天井材３の下面の中央部分３３に無影灯やモニタなどの機器１５を取り付けることにより、地震が発生した際に、無影灯やモニタなどの機器１５の揺れを低減させることができる。
【００２０】
また、復元材６には、定荷重ばね６２を利用しており、定荷重ばね６２は、ばね反力が変形量に依存せずに一定のばね反力で変形可能であることにより、支持部２に対する天井材３の変位量にかかわらず、一定のばね反力で天井材３を復元させることができ、天井材３を原位置に復元させるためのばね反力が最適な値よりも大きかったり小さかったりすることがないため、天井材３を確実に原位置に復元させることができる。
【００２１】
以上、本発明による滑り免震機構の実施形態について説明したが、本発明は上記の実施形態に限定されるものではなく、その趣旨を逸脱しない範囲で適宜変更可能である。
例えば、上記の実施形態では、滑り免震機構１を病院の手術室１２に設置しているが、手術室１２以外の室や、病院以外の建物に滑り免震機構１を設置してもよい。また、天井材３には、無影灯やモニタなどの機器１５以外のものが設置されていてもよい。
また、上記の実施形態では、手術室１２は、平面視略長方形状に形成されているが、これ以外の形状に形成されていてもよい。
また、上記の実施形態では、支持部２の上に鋼板４が設置されて、鋼板４鋼板４の上を滑り材５が滑動する構成であるが、鋼板４が設置されずに、支持部２の上を直接滑り材５が滑動する構成としてもよい。
【００２２】
また、上記の実施形態では、支持部２は、支持部下地鉄骨２１と板状の支持部仕上げ材２２とを有し、天井材３は、天井下地鉄骨３１と板状の天井仕上げ材３２とを有する構成であるが、支持部２および天井材３は、下地材が鉄骨以外の材料で形成されていたり、手術室１２の室内へ露出する部分が、塗装などによって仕上げられたりしていてもよい。
【００２３】
また、上記の実施形態では、復元材６の復元力として定荷重ばね６２のばね反力を利用しているが、定荷重ばね６２以外の弾性体による反力を利用してもよい。また、復元材６の形態や設置される数は適宜設定されてよい。
また、上記の実施形態では、定荷重ばね６２が収容された復元材６のケース６１が天井材３に固定されていて、定荷重ばね６２と支持部２に立設する壁下地鉄骨２３とがワイヤ６３で連結されているが、支持部２の上部を天井材３が滑動可能に構成されていれば、定荷重ばね６２と建物１１の梁材１３や床スラブ１４などの躯体とが連結されていてもよい。また、定荷重ばね６２が収容されたケース６１が支持部２や建物１１の躯体に固定されて、定荷重ばね６２と天井材３とがワイヤ６３で連結されている構成としてもよい。
【００２４】
また、上記の実施形態では、床部１６にも滑り免震機構７を設置しているが、設置されていなくてもよい。また、床部１６に免震機構が設置される場合は、本実施形態の滑り免震機構７以外の滑り免震機構としてもよい。
【符号の説明】
【００２５】
１  滑り免震機構
２  支持部
３  天井材
４  鋼板
５  滑り材
６  復元材
１１  建物
１２  手術室
１３  梁材（躯体）
３３  中央部分（室内に露出している部分）
６２  定荷重ばね
【図１】
0006534025.tif 000002
【図２】
0006534025.tif 000003
【図３】
0006534025.tif 000004
【図４】
0006534025.tif 000005